(57)【要約】【課題】液状流体を基板上の比較的小さい空間において良好に撹拌する技術を得る。【解決手段】凹状の撹拌室１７と、撹拌室１７に連通するように溝状となる流路１６，１８とが形成されたベースプレート２５に対して、ベースプレート２５より軟質のカバープレート２６を重ね合わせることにより撹拌室１７と流路１６，１８との開放部分を覆った基板Ａｐを備えている。カバープレート２６のうち、撹拌室１７の開放部分を覆う外壁部１７Ａの変形により撹拌室１７の容積を変化させ撹拌が行われるようにマイクロ流体デバイスを構成した。【選択図】図６
2017096640.tif 000002
【特許請求の範囲】
【請求項１】
流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち、前記撹拌室の開放部分を覆う外壁部の変形により前記撹拌室の容積を変化させて流体の撹拌が行われるマイクロ流体デバイス。
【請求項２】
前記外壁部が、前記カバープレートの厚さを減じた薄肉部を備えている請求項１に記載のマイクロ流体デバイス。
【請求項３】
前記撹拌室の流体の流れを乱して乱流を作り出す乱流発生部が形成されている請求項１に記載のマイクロ流体デバイス。
【請求項４】
流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち前記撹拌室の開放部分を覆う外壁部に当接することにより当該外壁部を繰り返し変形させる当接部材と、前記当接部材を作動させるアクチュエータとを有する撹拌機構を備え、
前記アクチュエータの電気的な制御により前記外壁部に対する前記当接部材の当接周期、及び、押圧ストロークの少なくとも何れか一方を変更する制御部を備えている撹拌システム。
【請求項５】
前記撹拌室の内面に形成された凹部または凸部により、前記撹拌室での流体の流れを乱して乱流を作り出す乱流発生部が形成されている請求項４に記載の撹拌システム。
【請求項６】
前記撹拌機構が、前記外壁部に対する前記当接部材の当接位置を変更する当接位置変更部を備え、前記制御部が前記当接位置変更部に対し当接位置変更情報を出力する請求項４又は５に記載の撹拌システム。
【請求項７】
流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち、前記撹拌室の開放部分を覆う外壁部を繰り返して変形させることにより前記撹拌室の容積を繰り返して変化させる撹拌機構を備え、
流体を分析するセンサを前記撹拌室に備えている分析装置。
【請求項８】
前記センサが、前記撹拌室のうち前記外壁部と対向する底壁部に支持されている請求項７に記載の分析装置。
【発明の詳細な説明】
【技術分野】
【０００１】
本発明は、流体の撹拌が可能なマイクロ流体デバイス、マイクロ流体デバイスにおいて流体を撹拌する撹拌システム、及び、流体を分析する分析装置に関する。
【背景技術】
【０００２】
特許文献１には、複数の液体槽を備え、これらの液体槽の各々に連通するように複数の搬送用流路を備え、複数の搬送用流路を合流用流路で連結した混合機構を備えた技術が示されている。
【０００３】
この特許文献１では、各々の液体槽の外壁部分に形成されたダイヤフラム膜に押圧力を作用させ、複数の液体槽から同時に液体を送り出すことにより、合流用流路において複数の搬送用流路からの液体が接触し、液体の混合を実現する。
【０００４】
また、特許文献２には、認識物質が固定化され、微粒子としての粒状担体を保持する混合槽と、この混合槽に連結する一対のマイクロ流路と、をマイクロチップに備え、このマイクロチップを回転させることにより、一方のマイクロ流路から導入した試料を混合層において微粒子と混合する技術が示されている。
【０００５】
この特許文献２では、回転方向の切り換えが可能に構成され、混合槽の混合液を他方のマイクロ流路から比色反応部に導入して試薬と反応させ、例えば、混合液の発色を測定することにより、試料中のターゲットを認識する。
【０００６】
更に、特許文献３には、第１の流路で送られる液体と、第２の流路で送られる液体とを合流位置の合流ポッドにおいて混合すると共に、混合促進部で混合を促進し、第３の流路から送り出す技術が示されている。
【０００７】
この特許文献３では、合流ポッドにおいてサンプル液と試薬液とを混合し、この混合ポッドより流路後段に配置された分析センサで分析する分析装置が構成されている。混合促進部として、圧電素子で発生させた振動を、合流ポッドの外殻に作用させ、振動により混合ポッド内に撹拌力を付与して混合を促進する構成が示されている。
【０００８】
尚、特許文献３には、撹拌力を作用させた場合に、混合ポッドの内部に乱流や渦流を発生させることや、混合ポッドの外殻の一部を弾性膜で構成し、外力の作用により撓みを生じさせて撹拌力を得ることも示されている。
【先行技術文献】
【特許文献】
【０００９】
【特許文献１】特開２００３‐２９４５９６号公報
【特許文献２】特開２００７‐１５５４８４号公報
【特許文献３】特開２０１２‐６８２６７号公報
【発明の概要】
【発明が解決しようとする課題】
【００１０】
分析装置に用いられるμＴＡＳ（Micro Total Analysis Systems）の技術では、ガラス材や樹脂材の基板上に微小なチャンネル（溝）を形成することによりマイクロ流体デバイスを構成しており、例えば、チャンネルに微量の検体溶液や、試薬溶液等を流すことにより、基板上で反応を行わせ、反応結果を基板上のバイオセンサや、基板外の光学センサ等による観察を可能にしている。
【００１１】
この種の分析装置は、例えば、免疫解析を行う場合に微量の検体を用い、抗原抗体反応等を利用してバイオセンサによりターゲット（抗原）の検出を可能にすることも可能である。また、バイオセンサによりターゲットを検出する場合には、バイオセンサに対して検体を効率良く接触させる目的から検体の撹拌を必要とする。
【００１２】
特許文献１〜３に示される技術は、μＴＡＳを構成するものである。また、液状の試料と液状の試薬とを反応させるプロセスは、高精度の分析を行う観点から試料と試薬とを適正に混合することが重要となる。
【００１３】
しかしながら、液状の試料と液状の試薬を混合する処理について特許文献１の技術では、複数の流路に液体を流し、合流用流路での流体の接触により混合を実現するものであるため、撹拌が充分に行われないことも考えられる。
【００１４】
特許文献２の技術では、マイクロチップ（マイクロ流体デバイス）を正逆両方向に回転させることができ、比較的短時間における確実な撹拌が可能である。しかし、マイクロチップ自体が回転する構成であるため、マイクロチップを構成する基板にセンサを備えることが困難であり、しかも、回転駆動を行うための機構により装置の大型化を招き易いものとなる。
【００１５】
特許文献３の技術では、混合ポッドの内部に液体の流れを作り出すことができる反面、圧電素子の振動を混合ポッドに作用させる構成であるため、液体の流れが不充分となり、効率的な混合を行えない。
【００１６】
μＴＡＳを構成する比較的小さい基板において流体の混合を行う構成を考えると、混合を行うための混合空間を基板に形成することが合理的であるが、特許文献３のように特殊な形状の混合ポッドは形成し難いものである。
【００１７】
また、例えば、流体となる検体をバイオセンサに接触させて、検体に含まれる物質量を検知する分析形態では、バイオセンサに接触する検体を流動させることが分析性能を向上させる上で重要となる。
【００１８】
このような理由から、基板上の比較的小さい空間において流体を良好に撹拌する技術が求められる。
【課題を解決するための手段】
【００１９】
本発明は、流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち、前記撹拌室の開放部分を覆う外壁部の変形により前記撹拌室の容積を変化させて流体の撹拌を行う点に特徴を有する。
【００２０】
これによると、ベースプレートとカバープレートとを重ね合わせることにより撹拌室と、これに連通する流路とを備えた基板を構成でき、例えば、複数の溝状部を形成したものでは、その少なくとも１つを介して流体を撹拌室に供給することが可能となる。更に、基板は撹拌室の外壁部が、ベースプレートより軟質の材料で成るカバープレートで構成されるため、この外壁部に対して圧力を作用させることにより、外壁部を容易に変形させ、撹拌室の容積の変化により流体を流動させて撹拌を行える。
特に、この構成では、外壁部の全体的が撓むように弾性変形できるため、撹拌室の容積を大きく変化させ、撹拌室の流体の一部を撹拌室から外部に流し出した後に、撹拌室に戻すように流動させて積極的な混合も実現する。
従って、比較的簡単な構成でありながら基板上の比較的小さい空間において流体を良好に混合するマイクロ流体デバイスが得られた。
【００２１】
本発明は、前記外壁部が、前記カバープレートの厚さを減じた薄肉部を備えても良い。
【００２２】
これによると、カバープレートのうち、外壁部が形成される部位を薄肉部に形成することにより、軽い圧力でも外壁部を大きく変形させて良好な撹拌を実現する。
【００２３】
本発明は、前記撹拌室の流体の流れを乱して乱流を作り出す乱流発生部が形成されても良い。
【００２４】
これによると、撹拌部の容積の変化に伴い内部に流体の流れが作り出された場合には、その流れが、乱流発生部により乱流となり一層良好な撹拌を実現する。
【００２５】
本発明は、流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち前記撹拌室の開放部分を覆う外壁部に当接することにより当該外壁部を繰り返し変形させる当接部材と、前記当接部材を作動させるアクチュエータとを有する撹拌機構を備え、
前記アクチュエータの電気的な制御により前記外壁部に対する前記当接部材の当接周期、及び、押圧ストロークの少なくとも何れか一方を変更する制御部を備えた点に特徴を有する。
【００２６】
これによると、ベースプレートとカバープレートとを重ね合わせることにより、撹拌室と、これに連通する流路とを備えた基板を構成でき、例えば、複数の溝状部を形成したものでは、その複数の溝状部の少なくとも一つを介して流体を撹拌室に供給することが可能となる。更に、基板は、撹拌室の外壁部がベースプレートより軟質の材料で成るカバープレートで構成されるため、この外壁部に対して圧力を作用させることにより外壁部を容易に変形させ、撹拌室の容積の変化により流体を流動させて撹拌を行える。また、制御部が電気的にアクチュエータを制御することにより、当接部材が外壁部に間歇的に当接する当接周期を変更することや、当接部材の作動ストロークを変更することが可能となる。
従って、アクチュエータを制御することにより流体を基板上の比較的小さい空間において良好に混合する撹拌システムが得られた。
【００２７】
本発明は、前記撹拌室の内面に形成された凹部または凸部により、前記撹拌室での流体の流れを乱して乱流を作り出す乱流発生部が形成されても良い。
【００２８】
これによると、撹拌部の容積の変化に伴い内部に流体の流れが作り出された場合には、その流れが、撹拌室の内面に形成された凹部または凸部に接触することより乱流となり一層良好な撹拌を実現する。
【００２９】
本発明は、前記撹拌機構が、前記外壁部に対する前記当接部材の当接位置を変更する当接位置変更部を備え、前記制御部が前記当接位置変更部に対し当接位置変更情報を出力しても良い。
【００３０】
これによると、制御部の当接位置変更情報に基づいて、当接部材が外壁部に当接する位置を当接位置変更部が変更することにより、撹拌室の内部の流体の流動方向を異ならせ、撹拌室の内部での流体の滞留を解消して一層良好な混合が実現する。
【００３１】
本発明は、流体を撹拌する凹状の撹拌室と、前記撹拌室に連通する少なくとも１つの溝状の流路とが形成されたベースプレートに対して、前記ベースプレートより軟質のカバープレートを重ね合わせて前記撹拌室と前記流路との開放部分を覆った基板を備え、
前記カバープレートのうち、前記撹拌室の開放部分を覆う外壁部を繰り返して変形させることにより前記撹拌室の容積を繰り返して変化させる撹拌機構を備え、
流体を分析するセンサを前記撹拌室に備えた点に特徴を有する。
【００３２】
これによると、ベースプレートとカバープレートとを重ね合わせることにより撹拌室と、これに連通する流路とを備えた基板を構成でき、例えば、複数の溝状部を形成したものでは、その複数の溝状部の少なくとも１つを介して流体を撹拌室に供給することが可能となる。更に、基板は撹拌室の外壁部が、ベースプレートより軟質の材料で成るカバープレートで構成されるため、この外壁部に対して撹拌機構が外壁部を変形させ、この変形に伴い撹拌室の容積を変化させて撹拌室の内部に流体を流動させて撹拌を行える。更に、この撹拌室に貯留された流体をセンサで分析できる。
特に、この構成では、外壁部が全体的に撓むように弾性変形できるため、撹拌室の容積を大きく変化させ、撹拌室の流体の一部を撹拌室から外部に流し出した後に、撹拌室に戻すように流動させて積極的な混合を行い、この流体をセンサで分析できる。
従って、比較的簡単な構成でありながら基板上の比較的小さい空間において流体を良好に混合し、混合室で混合された流体を分析する分析装置が得られた。
【００３３】
本発明は、前記センサが、前記撹拌室のうち前記外壁部と対向する底壁部に支持されても良い。
【００３４】
これによると、外壁部と対向する位置のベースプレートにセンサが支持されることにより、外壁部が圧力を受けて変形する場合には、この変形に伴う流体の流れをセンサが受け止めるように接触することになり良好な分析を行える。
【図面の簡単な説明】
【００３５】
【図１】カートリッジとデータ取得ユニットとの斜視図である。
【図２】データ取得ユニットの断面図である。
【図３】カートリッジの分解斜視図である。
【図４】ベースプレートの平面図である。
【図５】カバープレートの平面図である。
【図６】カートリッジと撹拌機構との断面図である。
【図７】突出状態のプランジャと外壁部とを示す断面図である。
【図８】別実施形態（ａ）のカートリッジと撹拌機構との断面図である。
【図９】別実施形態（ｂ）の撹拌機構の斜視図である。
【図１０】別実施形態（ｃ）のカートリッジと撹拌機構との断面図である。
【図１１】別実施形態（ｄ）のカートリッジと撹拌機構との断面図である。
【図１２】別実施形態（ｅ）のカートリッジと撹拌機構との断面図である。
【発明を実施するための形態】
【００３６】
以下、本発明の実施形態を図面に基づいて説明する。
〔基本構成〕
図１、図２に示すように、マイクロ流体デバイスとしてのカートリッジＡと、このカートリッジＡがセットされるデータ取得ユニットＢを備えて分析装置が構成されている。
【００３７】
分析装置は、μＴＡＳ（micro total analysissystem）の技術により分析を行うものである。つまり、図３〜図６に示すように、カートリッジＡ（マイクロ流体デバイス）を構成する基板Ａｐに対して、例えば、検体を送り込み、データ取得ユニットＢにセットすることで、基板Ａｐが設定温度に維持される環境下において、基板Ａｐの撹拌室１７に導入された検体が撹拌される。この撹拌を実現する手段が撹拌システムであり、以下、撹拌システムで撹拌された液を撹拌液と称する。
【００３８】
分析装置において、撹拌液は撹拌室１７のバイオセンサＳで分析（一例として、抗体を電極上に固定することにより、特定の抗原に対する電気的な反応を利用した分析）される。分析装置では、撹拌室１７で撹拌を継続する状況において検体に含まれるターゲット（抗原）を検知し、定量し、そのデータがデータ取得ユニットＢに記憶され、そのデータの一部がディスプレイ３に表示される。尚、撹拌室１７の内部で検体に接触することにより分析可能なバイオセンサＳとしては、特定の酵素や特定のＤＮＡ等をＦＥＴ等の電極上に固定したものであっても良い。
【００３９】
分析装置は、基板Ａｐのカバープレート２６の外面が上方に向かう水平姿勢でカートリッジＡが挿入されるように構成されている。また、分析装置は、単一の検体を撹拌室１７で撹拌する分析形態だけを対象にするものではなく、例えば、検体又は試料と、試薬とを撹拌室１７に送り込み、これらを撹拌室１７で撹拌により混合して反応を行わせ、この反応状態にある撹拌液の分析を行うものも対象にしている。
【００４０】
例えば、検体や試料と、試薬とを混合した撹拌液の分析形態の一例として、例えば、撹拌液の蛍光イメージングや、撹拌液の特定の波長の光線の吸収、撹拌液の呈色反応等を用いて光学的に分析するものや、ＱＣＭ ( Quartz Crystal Microbalance )により質量を計測する構成も考えられる。これらの構成では、カートリッジＡにセンサを備えずに分析装置に光学センサを備える、あるいは、カートリッジＡに対してセンサの一部を備える構成により実現する。
【００４１】
〔データ取得ユニット〕
図１、図２に示す如く、データ取得ユニットＢでは、ケース１に対してカートリッジＡが挿入される挿入口１Ａと、押し操作型の複数のスイッチ２と、液晶型等のディスプレイ３を備えている。ケース１の内部には、搬送機構５と、撹拌機構６と、温度管理部７と、データ取得部８と、送液ユニット１１と、排液ユニット１２と、制御部として機能するデータ処理部９とを備えている。
【００４２】
搬送機構５は、カートリッジＡに接触して搬送力を作用させる複数の搬送ローラ５ａと、これらを駆動する電動モータ５ｂと、カートリッジＡが挿入にあることを検知する挿入位置センサ５ｃと、カートリッジＡが処理位置にあることを検知する処理位置センサ５ｄとを備えている。
【００４３】
撹拌機構６は、図６、図７に示すように、基板Ａｐの撹拌室１７の外壁部１７Ａに押圧力を作用させる当接部材としてのプランジャ６ａと、プランジャ６ａを突出作動させるアクチュエータとしての電磁ソレノイド６ｃとを備えている。この撹拌機構６では、プランジャ６ａがソレノイドケース６ｂに対して出退自在に支持され、このソレノイドケース６ｂの内部にはプランジャ６ａを初期位置に付勢するバネ６ｄを備えている。
【００４４】
この構成から、プランジャ６ａ（当接部材の一例）は、バネ６ｄの付勢力で図６に示す初期ポジションに保持され、電磁ソレノイド６ｃ（アクチュエータの一例）が駆動されることで突出作動し、図７に示す如く撹拌室１７の外壁部１７Ａに押圧力を作用させ、外壁部１７Ａを弾性変形させる。このような突出作動と、バネ６ｄによる復帰作動とを繰り返して行うことにより撹拌が実現する。
【００４５】
温度管理部７は、温度センサ７ａと、通電により発熱するヒータ部や、冷媒（冷水でも良い）が供給されるチラー部等を備えている。これにより、温度センサ７ａで検知される温度が目標温度に維持されるように、ヒータ部あるいはチラー部を制御することにより温度管理が実現する。尚、温度管理部７として、カートリッジＡが収容される空間の温度管理を行うものを想定しているが、ケース１の内部空間の温度管理を行うものでも良い。
【００４６】
データ取得部８は、バイオセンサＳの複数の出力端子Ｓａに接触して信号を取得する取得端子を備えている。このデータ取得部８は、コネクタと同様に機能するものであり、カートリッジＡが処理位置まで挿入された後に、バイオセンサＳの出力端子に接触する位置に変位するように電気制御により出退自在に構成されるものでも良い。
【００４７】
送液ユニット１１は、複数の導入ポート１４に対して個別に連通する複数の送液管１１ａを有し、導入ポート１４に対して洗浄水やエアー等を供給できるように構成されている。排液ユニット１２は、排出ポート２０に連通する排液管１２ａを有し、排出ポート２０から排出される排液を回収する。
【００４８】
データ処理部９（制御部の一例）は、複数のスイッチ２の信号を取得し、搬送機構５と撹拌機構６と、温度管理部７と、送液ユニット１１と、排液ユニット１２とを制御し、処理結果をＥＥＰＲＯＭ等の不揮発性メモリ等に記憶し、処理結果を外部のマイクロコンピュータ等に伝送すると共に、必要な情報をディスプレイ３に表示する処理を行う。尚、データ処理部９は、ＡＳＩＣ（Application Specific Integrated Circuit）やワンチップマイクロコンピュータ等で構成され、所定のプログラムに従って処理を行う。
【００４９】
〔カートリッジ〕
図３〜図６に示すように、カートリッジＡ（マイクロ流体デバイスの一例）は、カートリッジフレームＡｆの上面に対して基板Ａｐを固定した構成を有している。基板Ａｐは、μＴＡＳの技術の主要部であり、液状流体（例えば、検体や試薬、あるいは、蒸留水等の洗浄水）を導入する複数の導入ポート１４を備えている。基板Ａｐの内部には、貯留チャンバー１５と、導入流路１６と、撹拌室１７と、排出流路１８と、排出チャンバー１９とを備えている。更に、基板Ａｐには液状流体を送り出す排出ポート２０を備えている。
【００５０】
導入ポート１４は、貯留チャンバー１５の数（本実施形態では３つ）に対応した数だけ形成され、貯留チャンバー１５には導入ポート１４に連通する導入部１５ａを備えている。導入流路１６は、貯留チャンバー１５の液状流体を撹拌室１７に導入するため複数の貯留チャンバー１５と撹拌室１７との間に形成され、その経路中には弁部１６Ｖが形成されている。弁部１６Ｖは、貯留チャンバー１５から撹拌室１７の方向への液状流体の流れのみを許容する一方弁として構成されている。
【００５１】
撹拌室１７は、反応チャンバーとして機能するものであり、外壁部１７Ａの弾性変形により容積の縮小と復元とを可能に構成されている。また、撹拌室１７のうち外壁部１７Ａと対向する位置の底壁部１７ＢにバイオセンサＳが備えられている。
【００５２】
排出流路１８は、撹拌室１７の撹拌液（液状流体）を排出チャンバー１９に送り出すために撹拌室１７と排出チャンバー１９との間に形成され、その経路中には弁部１８Ｖが形成されている。排出チャンバー１９は１つだけ形成され、排出部１９ａにより排出ポート２０に連通している。弁部１８Ｖは、撹拌室１７から排出チャンバー１９の方向への液状流体の流れのみを許容する一方弁として構成されている。
【００５３】
カートリッジフレームＡｆは、比較的高強度な樹脂で形成されるものであり、偏平な棒状に構成されている。基板Ａｐは、ベースプレート２５とカバープレート２６とを重ね合わせた構成を有している。このカートリッジフレームＡｆは、ベースプレート２５とカバープレート２６とを補強するものであるため、例えば、ベースプレート２５に高強度材料を用いることにより、カートリッジＡを、カートリッジフレームＡｆを備えずに構成することも可能である。
【００５４】
具体構成として、ベースプレート２５にはアクリル樹脂のように硬質で透明なプレート状の素材が用いられている。このベースプレート２５の内面側（図３では上側）を加工することにより、貯留チャンバー１５と、撹拌室１７と、排出チャンバー１９とが凹状に形成され、導入部１５ａと、導入流路１６と、排出流路１８と、排出部１９ａとが溝状に形成されている。また、ベースプレート２５では、貯留チャンバー１５、撹拌室１７、導入流路１６、排出流路１８等、液状流体が接触する部位に親水コーティングが施される。
【００５５】
基板Ａｐの撹拌室１７には平坦な底壁部１７Ｂが形成されている。図４に示すように、ベースプレート２５の上面に対して直交する方向視において撹拌室１７の形状（底壁部１７Ｂと一致する形状）は、中央部を基準にして幅方向（図４の方向視において上下方向）で非対称で凸部と凹部とを組み合わせた形状であるため、撹拌時には撹拌液の流れに乱流を発生させる乱流発生部Ｔとして機能する。
【００５６】
撹拌室１７の底壁部１７Ｂには孔部が形成され、この孔部に対してバイオセンサＳの感応面が挿通するようにベースプレート２５の下面側にバイオセンサＳが固定されている。特に、バイオセンサＳは、感応結果を電気信号として出力する複数の出力端子Ｓａを備えており、この出力端子ＳａがカートリッジＡの側面に突出するように配置されている。
【００５７】
尚、ベースプレート２５を、金型を用いた成形により作り出しても良い。また、ベースプレート２５にガラス材を用いても良く、ガラス材を用いる場合には蝕刻の技術により貯留チャンバー１５、撹拌室１７等を  形成することが考えられる。
【００５８】
カバープレート２６は、シリコンゴムのようにベースプレート２５より軟質で透明となるプレート状の樹脂材が用いられている。また、カバープレート２６は、その内面に親水コーティングが施される。
【００５９】
このベースプレート２５の外面側（図３で上側）には、撹拌室１７を覆う外壁部１７Ａを凹状に成形することにより、この外壁部１７Ａに薄肉部２６Ａが形成されている。このカバープレート２６には、導入ポート１４と、排出ポート２０とが貫通孔として形成されている。
【００６０】
このカバープレート２６をベースプレート２５に重ね、合わせ面から液状流体の漏れがないように貼り合わせて固定して基板Ａｐが作り出される。作り出された基板Ａｐは、貯留チャンバー１５と撹拌室１７と排出チャンバー１９との開放部分をカバープレート２６で覆い基板Ａｐの内部に空間が形成される。これと同様に、導入部１５ａと導入流路１６と排出流路１８と排出部１９ａとの開放部分をカバープレート２６で覆い基板Ａｐの内部に流路が形成される。
【００６１】
更に、撹拌室１７を覆う位置に薄肉部２６Ａで成る外壁部１７Ａが配置され、導入ポート１４が貯留チャンバー１５の導入部１５ａに連通し、排出ポート２０が排出チャンバー１９の排出部１９ａに連通する。
【００６２】
尚、カバープレート２６では、外面側を加工することにより薄肉部２６Ａと、導入ポート１４と、排出ポート２０を形成しているが、これらは金型成形されるものであっても良い。
【００６３】
特に、カバープレート２６の内面側において、導入流路１６に対応する部位の一部を導入流路１６に入り込むように舌片状に突出させることにより前述した弁部１６Ｖが形成されている。この弁部１６Ｖは、貯留チャンバー１５から撹拌室１７の方向への液状流体の流れのみを許容する一方弁として構成されるものであるが、例えば、外部からの操作により開閉する構造のものであっても良い。
【００６４】
これにより、基板Ａｐでは、導入ポート１４から導入した液状流体を貯留チャンバー１５から導入流路１６を介して撹拌室１７に送り込むことができる。更に、撹拌室１７の内部の混合液を、排出流路１８を介して排出チャンバー１９に送り出すこともできる。特に、導入流路１６に弁部１６Ｖが形成されているため、撹拌室１７の外壁部１７Ａに対して撹拌機構６から圧力が作用した場合でも撹拌室１７の混合液が貯留チャンバー１５に逆流する不都合が抑制される。
【００６５】
〔分析装置での制御形態〕
検体の分析を行う場合には、シリンジ等を用いた人為的な作業により１つの導入ポート１４から検体等を導入し、対応する貯留チャンバー１５から導入流路１６を介して撹拌室１７に送り込む。この後に人為操作によりカートリッジＡをケース１の挿入口１Ａに挿入する。
【００６６】
このようにカートリッジＡが挿入された場合には、挿入位置センサ５ｃが挿入を検知し、この検知に基づいて搬送機構５の搬送ローラ５ａが駆動され、カートリッジＡを図２に示す挿入位置まで移動させて停止する。カートリッジＡが挿入位置に達した状態において、撹拌機構６のプランジャ６ａがカバープレート２６の外壁部１７Ａに当接可能な位置にあるように、これらの位置関係が決められている。
【００６７】
次に、カートリッジＡが挿入位置に達した場合には、撹拌機構６による撹拌が開始される。このように撹拌が開始される場合には、温度管理部７がカートリッジＡを目標温度に維持する温度管理を行い、データ取得部８を介してバイオセンサＳの信号をデータ処理部９が取得する。これらの制御は、データ処理部９にセットされているプログラムにより実行され、この実行時に必要な情報がディスプレイ３に表示される。
【００６８】
尚、この分析装置では、カートリッジＡを挿入口１Ａに挿入したことを検知した後にカートリッジＡを搬送し、検体試料の送液（３つの導入ポート１４にポートにエアを供給）と排液を行い、撹拌を行い、分析を行うように一連の制御をシーケンシャルに行うように制御形態を設定している。しかし、これに代えて各々の制御をスイッチ２の人為操作により実行するように制御形態を設定しても良い。
【００６９】
また、データ処理部９は、撹拌機構６のプランジャ６ａ（当接部材の一例）を間歇的に突出作動させ、プランジャ６ａから撹拌室１７の外壁部１７Ａに押圧力を作用させる制御部として機能する。つまり、撹拌を行う際には、データ処理部９が電磁ソレノイド６ｃに供給する電力を制御することにより、図７に示すようにプランジャ６ａを突出させ、電磁ソレノイド６ｃに対する電力の供給を遮断することで、バネ６ｄの付勢力により図６に示すようにプランジャ６ａが初期位置に復帰する。
【００７０】
特に、プランジャ６ａを突出作動させる場合には、設定されたインターバル（当接周期）で、設定された突出量（押圧ストローク）だけプランジャ６ａを突出し、設定された時間だけ突出状態を維持する。この設定された時間が経過した後に、電磁ソレノイド６ｃに対する電力供給を停止することにより、プランジャ６ａが初期位置に復帰する。これらの作動が設定されたインターバルで繰り返され、撹拌が行われる。
【００７１】
また、データ処理部９は、プランジャ６ａの突出作動のインターバルと、突出量と、突出状態の維持時間とを変更可能に構成されている。その変更の一例として予め設定された複数のインターバルの値と、複数の突出量の値と、複数の維持時間の値とが設定され、これら値から必要とするものを任意に選択することや、組み合せることが考えられる。
【００７２】
撹拌時には、図７に示すように、プランジャ６ａの当接により撹拌室１７の外壁部１７Ａが変形し、撹拌室１７の容積が縮小した場合には、弁部１６Ｖが導入流路１６への撹拌液の流れを阻止するため、撹拌液の一部が排出流路１８に流れ出すことがあるものの、撹拌室１７の内部に流れが作り出される。この後、プランジャ６ａが外壁部１７Ａから離間し、外壁部１７Ａが弾性的に元の姿勢に復元することにより、撹拌室１７では、プランジャ６ａが当接した場合と逆方向に流れが発生する。尚、このように撹拌室１７から撹拌液の一部が排出流路１８に流れる場合には、排出チャンバー１９に連通する排出ポート２０で空気が排出される。
【００７３】
特に、カートリッジＡでは、カートリッジフレームＡｆと、ベースプレート２５と比較してカバープレート２６に軟質の素材を用いているため、撹拌機構６のプランジャ６ａが撹拌室１７の外壁部１７Ａに当接した場合には、カバープレート２６のみを大きく変形させて良好な撹拌を実現している。前述したようにカートリッジフレームＡｆは特に必要としない。
【００７４】
このように撹拌室１７の容積を大きく変化させることにより、撹拌室１７の内部で撹拌液を大きく流動させると共に、撹拌室１７の乱流発生部Ｔが乱流を発生させるため、撹拌液が滞留する現象を抑制し、バイオセンサＳの感応部に対して撹拌液に含まれるターゲットが接触する確率を増大させ分析性能の向上を実現している。
【００７５】
本実施形態の基板Ａｐでは、貯留チャンバー１５から撹拌室１７に洗浄水を供給し、排出チャンバー１９を介して排出ポート２０から送り出すことにより、撹拌室１７の洗浄も可能である。このように洗浄を行うことにより、新たな分析も可能に構成されている。
【００７６】
〔別実施形態〕
本発明は、上記した実施形態以外に以下のように構成しても良い（実施形態と同じ機能を有するものには、実施形態と共通の番号、符号を付している）。
【００７７】
（ａ）図８に示すように、カバープレート２６として厚さが一定の材料を用いる（薄肉部２６Ａを形成しない材料を用いる）。つまり、カバープレート２６の素材の選択により撹拌室１７の外壁部１７Ａを容易に変形させることも可能であり、この構成のように薄肉部２６Ａを形成しないものでは、カバープレート２６の製造が容易となる。
【００７８】
また、この別実施形態（ａ）では、撹拌機構６として外壁部１７Ａに当接するプランジャ６ａ（当接部材の一例）の当接位置を変更できる当接位置変更部１０を備えた構成を示している。この当接位置変更部１０では、実施形態の撹拌機構６と同様にソレノイドケース６ｂに対して出退自在にプランジャ６ａを備えたものであるが、プランジャ６ａの主軸芯Ｘ１に対して、平行する姿勢で偏心位置の当接軸芯Ｘ２の延長上に突出部６Ｔが形成されている。
【００７９】
プランジャ６ａは、ソレノイドケース６ｂに対して回転不能に支持され、ソレノイドケース６ｂは、分析装置のフレーム等に対して主軸芯Ｘ１を中心に回転自在に支持されている。ソレノイドケース６ｂの外面にはセクタギヤ１０ａが固設され、これに噛合するピニオンギヤ１０ｂを備え、このピニオンギヤ１０ｂを駆動するように電動型の位置変更モータ１０ｃを備えている。
【００８０】
この構成により、データ処理部９（制御部）が当接位置変更情報を出力することにより、位置変更モータ１０ｃが正転方向と逆転方向とに所定量だけ駆動される。これにより、ソレノイドケース６ｂが主軸芯Ｘ１を中心に所定角度だけ揺動し、当接軸芯Ｘ２が円弧状の領域で移動し、突出部６Ｔが外壁部１７Ａに当接する位置を変更して良好な撹拌を実現する。特に、この構成では、突出部６Ｔの当接位置が変更させることで撹拌室１７に乱流を作り出すことも可能となり一層良好な撹拌が行われる。
【００８１】
（ｂ）図９に示すように、当接位置変更部１０として、分析装置に固設されたブラケット３０に対して縦向き姿勢の第１軸芯Ｙ１を中心に揺動自在に第１アーム３１を支持し、この第１アーム３１の揺動端に第２軸芯Ｙ２を中心に揺動自在に第２アーム３２を支持し、この第２アーム３２に対して撹拌機構６のソレノイドケース６ｂを支持する。
【００８２】
第１軸芯Ｙ１と第２軸芯Ｙ２とは互いに平行姿勢に設定され、ブラケット３０に対して第１アーム３１を駆動揺動する第１モータＭ１を備え、第１アーム３１に対して第２アーム３２を駆動揺動する第２モータＭ２を備えている。
【００８３】
この構成により、データ処理部９（制御部）が当接位置変更情報を出力することにより、第１モータＭ１と第２モータＭ２との駆動方向と駆動量とが設定され、撹拌室１７の外壁部１７Ａにプランジャ６ａが当接する位置を任意に変更することが可能となる。従って、例えば、プランジャ６ａが外壁部１７Ａの各部に当接するように第１モータＭ１と第２モータＭ２とを制御することで偏りのない良好な撹拌を実現する。
【００８４】
（ｃ）図１０に示すように、撹拌機構６として、電動モータ等の駆動力により回転するシャフト３５と、シャフト３５と一体回転する支持部材３６と、支持部材３６の複数のアーム部に対し回転支軸３７Ａを中心に遊転支承される当接ローラ３７とで構成する。この別実施形態（ｃ）では、シャフト３５の軸芯姿勢が水平に設定され、回転支軸３７Ａがシャフト３５と平行姿勢に設定される。また、外壁部１７Ａが外方（上方）に向けて緩やかに突出する形状で形成され、複数の当接ローラ３７が外壁部１７Ａに対して当接可能な位置に配置される。
【００８５】
このような構成から、シャフト３５を回転駆動することにより複数の当接ローラ３７が外壁部１７Ａに対して順次接触すると共に、接触により回転しつつ押圧力を作用させ、外壁部１７Ａを弾性変形させ撹拌室１７の容積を変化させて撹拌を実現する。
【００８６】
（ｄ）図１１に示すように、撹拌機構６として、一対のソレノイドケース６ｂの夫々に直径が異なるプランジャ６ａ（当接部材）を出退自在に備え、一対のソレノイドケース６ｂを、縦軸芯を中心に回転させる切換部４０を備えて構成する。この撹拌機構６では、切換部４０が電動モータ等を備えており、この切換部４０の駆動により、ターレット式にソレノイドケース６ｂの位置を切り換えて外壁部１７Ａに当接するプランジャ６ａの切り換えを可能に構成している。
【００８７】
各々のソレノイドケース６ｂは、実施形態で説明したものと同様に電磁ソレノイド６ｃに対する電力の供給によりプランジャ６ａが突出作動するように構成されたものであるが、プランジャ６ａの直径を異ならせることで外壁部１７Ａに対する当接面積に差を設定している。これにより、大径のプランジャ６ａを当接させた場合には、外壁部１７Ａを全体的に変形させることが可能となり、小径のプランジャ６ａを当接させた場合には、外壁部１７Ａを局部的に変形させることが可能となる。
【００８８】
また、撹拌の実行時には、２種のプランジャ６ａを交互に外壁部１７Ａに当接させることや、一方のプランジャ６ａだけを反復して外壁部１７Ａに当接させることも可能である。特に、この構成では、切換部４０による回転角度の設定により、プランジャ６ａが外壁部１７Ａに当接する位置を変更することも可能であり、当接位置の変更も併せることで良好な撹拌が実現する。
【００８９】
（ｅ）図１２に示すように、乱流発生部Ｔとして、外壁部１７ＡのうちバイオセンサＳの感応面に対応する領域をバイオセンサＳに突出する形状（凸部の一例）に成形して構成する。また、乱流発生部Ｔとして、撹拌室１７の内面のうち、当該撹拌室１７の中央より排出流路１８に変位した位置の底壁部１７Ｂから突出する突起状に形成する。
【００９０】
このように構成することにより、撹拌機構６から押圧力が作用した場合には外壁部１７Ａが変形に伴い、外壁部１７Ａに形成された乱流発生部ＴがバイオセンサＳの感応面に接近する作動に伴い撹拌室１７に乱流を発生させて良好な撹拌を実現する。この構成では、バイオセンサＳの感応面の近傍に乱流を発生させるため、感応面の近傍の撹拌液に流れを作り出し一層良好な撹拌を実現する。
【００９１】
また、底壁部１７Ｂに乱流発生部Ｔを形成したものでは、撹拌機構６により撹拌室１７の撹拌液の一部が排出流路１８に流出する場合と、排出流路１８から撹拌室１７に戻る場合の何れにおいても、撹拌液の流れに乱流を作り出し、良好な撹拌を実現する。
【産業上の利用可能性】
【００９２】
本発明は、基板に形成された撹拌室において液状流体の撹拌を行う撹拌システム及び撹拌を利用する分析装置に利用することができる。
【符号の説明】
【００９３】
６          撹拌機構
６ａ        当接部材（プランジャ）
６ｃ        アクチュエータ（電磁ソレノイド）
９          制御部（データ処理部）
１０        当接位置変更部
１６        流路（導入流路）
１７        撹拌室
１７Ａ      外壁部
１７Ｂ      底壁部
１８        流路（排出流路）
２５        ベースプレート
２６        カバープレート
２６Ａ      薄肉部
Ａ          マイクロ流体デバイス（カートリッジ）
Ａｐ        基板
Ｔ          乱流発生部
Ｓ          センサ（バイオセンサ）
【図１】
2017096640.tif 000003
【図２】
2017096640.tif 000004
【図３】
2017096640.tif 000005
【図４】
2017096640.tif 000006
【図５】
2017096640.tif 000007
【図６】
2017096640.tif 000008
【図７】
2017096640.tif 000009
【図８】
2017096640.tif 000010
【図９】
2017096640.tif 000011
【図１０】
2017096640.tif 000012
【図１１】
2017096640.tif 000013
【図１２】
2017096640.tif 000014